(57)【要約】【課題】従来のマスク用のストラップの改良であって、ＩＤカード等の対処物を吊持するためのネックストラップと連結して使用することのできるマスク用のストラップの提供。【解決手段】マスク用のストラップ１０は、ストラップ本体２０の両端に位置するマスク３０の耳掛け部３２を係脱可能に取り付けるための係止手段２５と、対象物４３を吊持するネックストラップ４０とストラップ本体２０とを連結するための連結手段１２とを有する。【選択図】図１
2022000548.tif 000002
【特許請求の範囲】
【請求項１】
装着者の首に掛けるストラップ本体を有するマスク用のストラップにおいて、
前記ストラップ本体の両端に位置するマスクの耳掛け部を係脱可能に取り付けるための係止手段と、対象物を吊持するネックストラップと前記ストラップ本体とを連結するための連結手段とを有することを特徴とする前記マスク用のストラップ。
【請求項２】
前記連結手段は、連結ベルトからなる第１連結手段を有し、前記連結ベルトは前記ストラップ本体が挿通される環状部と、前記環状部から延出する延出部とを有し、前記ネックストラップは前記環状部に位置する第１環状部と前記環状部と前記延出部とが固定されることによってそれらの間に形成される第２環状部とのいずれかに挿通した状態で連結される請求項１に記載のマスク用のストラップ。
【請求項３】
前記係止手段は、前記ストラップ本体の長さ方向に並ぶ係止部と複数の被係止部とから構成されており、前記係止部と一方の被係止部とを係止することによって第１係止環が形成され、前記係止部と他方の被係止部とが係止されることによって第１係止環とは大きさの異なる第２係止環が形成される請求項１又は２に記載のマスク用のストラップ。
【請求項４】
前記連結手段は、第２連結手段を有し、前記第２連結手段は、前記係止手段の係止部と、それに係脱可能に係止される前記ネックストラップに配置された被係止部とから構成される請求項１〜３のいずれかに記載のマスク用のストラップ。
【請求項５】
前記ストラップ本体は、前記連結ベルトが位置する第１帯片と、前記第１帯片に着脱可能に連結される第２帯片と、前記第１帯片と前記第２帯片とを互いに固定する固定手段を有する請求項１〜４のいずれかに記載のマスク用のストラップ。
【請求項６】
前記第１連結手段は、前記ストラップ本体とは別体であって、前記ストラップ本体に着脱可能に取り付けられる請求項２に記載のマスク用のストラップ。
【発明の詳細な説明】
【技術分野】
【０００１】
本発明は、マスク用のストラップに関する。
【背景技術】
【０００２】
従来、使い捨てマスク（医療用マスク、衛生マスク等を含む）用のストラップは公知である。例えば、特許文献１には、装着者が、未装着の状態において、使い捨てマスクを首に掛けて吊持するためのストラップが開示されている。
【先行技術文献】
【特許文献】
【０００３】
【特許文献１】特開２０１１−１６１１８６号（Ｐ２０１１−１６１１８６Ａ）
【発明の概要】
【発明が解決しようとする課題】
【０００４】
特許文献１に開示されたマスク用のストラップによれば、ストラップの両端に位置する係止部にマスクの耳掛け部が係脱可能に取り付けられており、マスクの未装着時において、装着者の首に掛けた状態で吊持することができる。したがって、未装着の時に、マスクを紛失したり、誤って落下させて汚れる心配がなく、また、手提げや被服のポケット等に収容する場合に比べて、マスクをすぐに装着することができる。
【０００５】
しかしながら、スポーツ観戦やイベント会場等においては、セキュリティー上の問題からＩＤカード等の身分証の所持を義務付けられており、ＩＤカード等を吊持するためのネックストラップを装着する必要があり、マスク用のストラップとネックストラップとの両方を使用する場合において、装着者の首元で互いに絡み合ってしまって、ＩＤカード等を素早く提示できなかったり、取り外したときに一方のみを脱落させてしまうこともがある。
【０００６】
本発明は、従来のマスク用のストラップの改良であって、ＩＤカード等の対処物を吊持するためのネックストラップと連結して使用することのできるマスク用のストラップの提供を課題としている。
【課題を解決するための手段】
【０００７】
上述した課題を解決するために、本発明は、装着者の首に掛けるストラップ本体を有するマスク用のストラップに関する。
【０００８】
本発明に係るマスク用のストラップは、前記ストラップ本体の両端に位置するマスクの耳掛け部を係脱可能に取り付けるための係止手段と、対象物を吊持するネックストラップと前記ストラップ本体とを連結するための連結手段とを有すること特徴とする。
【０００９】
本発明に係るマスク用のストラップは、以下の実施態様を含む。該実施の態様は、分離して又は互いに組み合わせて採択することができる。
（１）前記連結手段は、連結ベルトからなる第１連結手段を有し、前記連結ベルトは前記ストラップ本体が挿通される環状部と、前記環状部から延出する延出部とを有し、前記ネックストラップは前記環状部に位置する第１環状部と前記環状部と前記延出部とが固定されることによってそれらの間に形成される第２環状部とのいずれかに挿通した状態で連結される。
（２）前記係止手段は、前記ストラップ本体の長さ方向に並ぶ係止部と複数の被係止部とから構成されており、前記係止部と一方の被係止部とを係止することによって第１係止環が形成され、前記係止部と他方の被係止部とが係止されることによって第１係止環とは大きさの異なる第２係止環が形成される。
（３）前記連結手段は、第２連結手段を有し、前記第２連結手段は、前記係止手段の係止部と、それに係脱可能に係止される前記ネックストラップに配置された被係止部とから構成される。
（４）前記ストラップ本体は、前記連結ベルトが位置する第１帯片と、前記第１帯片に着脱可能に連結される第２帯片と、前記第１帯片と前記第２帯片とを互いに固定する固定手段を有する。
（５）前記第１連結手段は、前記ストラップ本体とは別体であって、前記ストラップ本体に着脱可能に取り付けられる。
【発明の効果】
【００１０】
本発明に係るマスク用のストラップによれば、ストラップ本体の両端に位置するマスクの耳掛け部を係脱可能に取り付けるための係止手段と、対象物を吊持するネックストラップとストラップ本体とを連結するための連結手段とを有することから、ネックストラップとともに使用した場合であっても、互いに絡み合ったり、両方を所持したときに一方のみが脱落したりすることはない。
【図面の簡単な説明】
【００１１】
図面は、本発明の第１実施形態に係るマスク用のストラップの特定の実施の形態を示し、発明の不可欠な構成ばかりでなく、選択的及び好ましい実施の形態を含む。
【図１】本発明に係るマスク用のストラップの使用状態における正面図。
【図２】マスク用のストラップの使用状態における側面図。
【図３】（ａ）マスク用のストラップの平面図。（ｂ）図３（ａ）ストラップ本体の第１及び第２端の裏面側を示す拡大図。
【図４】（ａ）マスク用のストラップとネックストラップとの連結前の様子を示す図。（ｂ）マスク用ストラップとネックストラップとの連結後の様子を示す図。
【図５】第２実施形態に係るマスク用のストラップの使用状態における背面図。
【図６】（ａ）第２実施形態に係るマスク用のストラップの平面図。（ｂ）第３実施形態に係るマスク用のストラップの平面図。
【図７】（ａ）第２実施形態に係るマスク用のストラップの図４（ａ）と同様の図。（ｂ）第２実施形態に係るマスク用のストラップの図４（ｂ）と同様の図。
【図８】（ａ）第３実施形態に係るマスク用のストラップの図４（ａ）と同様の図。（ｂ）第３実施形態に係るマスク用のストラップの図４（ｂ）と同様の図。
【図９】第４実施形態に係るマスク用のストラップ使用状態における背面斜視図。
【図１０】（ａ）第４実施形態に係るマスク用のストラップの図４（ａ）と同様の図。（ｂ）第４実施形態に係るマスク用のストラップの図４（ｂ）と同様の図。
【図１１】（ａ）第５実施形態に係るマスク用のストラップの図４（ａ）と同様の図。（ｂ）第５実施形態に係るマスク用のストラップの図４（ｂ）と同様の図。
【図１２】（ａ）第６実施形態に係るマスク用のストラップの図４（ａ）と同様の図。（ｂ）第６実施形態に係るマスク用ストラップの参考背面斜視図。
【図１３】（ａ）第７実施形態に係るマスク用のストラップの図４（ａ）と同様の図。（ｂ）第７実施形態に係るマスク用のストラップの参考背面斜視図。
【図１４】（ａ）第８実施形態に係るマスク用のストラップの図４（ａ）と同様の図。（ｂ）第８実施形態に係るマスク用のストラップの参考背面斜視図。（ｃ）第８実施形態に係るマスク用のストラップを装着者の手首に巻いた様子を示す図。
【図１５】（ａ）第９実施形態に係る第１連結手段の平面図。（ｂ）第９実施形態に係るマスク用ストラップの正面図。
【図１６】（ａ）第９実施形態に係る第１連結手段の連結状態を示す図。（ｂ）第９実施形態に係る第１連結手段の連結が解除された状態を示す図。
【図１７】第９実施形態に係るマスクの着用状態を示す背面図。
【図１８】（ａ）第９実施形態に係る第１連結手段を介してストラップ本体を束ねた状態を示す図。（ｂ）図１８（ａ）に示す状態において、第１連結手段の係止手段を係止した状態を示す図。
【発明を実施するための形態】
【００１２】
下記の実施の形態は、本発明に係るマスク用のストラップ１０に関し、発明の不可欠な構成ばかりではなく、選択的及び好ましい構成を含む。
【００１３】
＜第１実施形態＞
図１〜図５を参照すると、本発明のマスク用のストラップ１０の一例として示す、マスク用のストラップ１０は、帯状のストラップ本体２０と、使い捨てマスク３０の耳掛け部３２を係脱可能に取り付けるための係止部１１と、ＩＣカード等を吊持するためのネックストラップ４０と連結するための連結手段１２とを有する。ストラップ本体２０は、表面及び裏面と、その長さ方向において対向して位置する第１端１５と第２端１６とを有する。
【００１４】
ストラップ本体２０は、可撓性を有する材料から形成されていて、例えば、織り紐、ゴム紐、不織布や織布、プラスチックフィルム、などの各種公知の弾性材料から形成することができる。ストラップ本体２０の大きさは、装着者の身体の大きさに合わせて適宜自由に設計変更することができるが、例えば、図３（ａ）を参照すると、装着者が成人の場合、ストラップ本体２０の全長Ｌは２５０〜７００ｍｍ、幅寸法Ｗは１０〜２０ｍｍである。
【００１５】
使い捨てマスク３０は、医療用や衛生用のマスク全般を含むものであって、装着者の口鼻を覆うマスク本体３１と、マスク本体３１の両側縁から延びる環状の一対の耳掛け部３２とを含む。マスク本体３１には、不織布、布地、織地、ガーゼ等のこの種の分野において通常使用される資材を制限なく用いることができる。
【００１６】
図３を参照すると、ストラップ本体２０は、連結部２３を介して互いに着脱可能に連結された第１帯片２１と、第２帯片２２とをさらに有する。連結部２３は、ワンタッチバックルであって、第１帯片２１の一方端に位置する雌部材２３ａと、第２帯片２２の一方端に位置する雄部材２３ｂとから構成されていて、雄部材２３ｂの一対の掛止片を雌部材２３ａの一対の係止凹部に押し込むことによって着脱可能に係止される。
【００１７】
このように、ストラップ本体２０が連結部２３によって着脱可能に連結された複数の帯片から形成されていることによって、ストラップ本体２０の全長が比較的に長いものであっても、それらを分離した状態で所持できるので、携帯性に優れる。また、かかる連結部２３は、ストラップ本体２０が装着者の首に絡まったときに、第１帯片２１と第２帯片２２との連結を解除して、首からストラップ本体２０を外すための安全装置としての役割も果たしうる。
【００１８】
また、第１帯片２１は、連結リング２４によって着脱不能に連結された２つの帯片から構成される。単一の帯片ではなく、第１帯片２１に連結リング２４を設けることによって、第1帯片２１の全長が長くなったときでもその捩れを防止することができる。
【００１９】
第１及び第２帯片２１，２２は、他方端側（ストラップ本体２０の第１及び第２端１５，１６側）においてストラップ本体２０の長さ方向に間隔を空けて配置された複数の係止手段２５を有する。係止手段２５は、本実施形態において、スナップボタンであって、２つの雌部材（被係止部）２５ｂ，２５ｃと、先端側に位置する１つの雄部材（係止部）２５ａから構成される。図３（ｂ）において矢印で示すように、装着者がストラップ本体２０先端を摘持して雄部材２５ａを第1及び第２雌部材２５ｂ，２５ｃに嵌め合わせることによって、マスク３０の耳掛け部３２を係止するための係止環が形成される。
【００２０】
係止環は、雄部材２５ａと隣接する第１雌部材２５ｂとを篏合させることによって形成される比較的に小さな第１係止環と、雄部材２５ａと第２雌部材２５ｃとを篏合させることによって形成される比較的に大きな第２係止環とを有する。このように、ストラップ本体２０は、大小の係止環を有することによって、マスク３０の耳掛け部３２の大きさや装着者の身体の大きさに合わせて適宜自由に篏合すべき雌雄部材２５ａ〜２５ｃの組み合わせを選択することができる。図示例では、係止手段２５は、第１及び第２係止環を形成しうる構成を有しているが、２つ以上の係止環を形成しうるような構成、すなわち、雌部材が３つ以上配置された態様を採用することもできる。
【００２１】
ストラップ本体２０は、長さ調整手段であるアジャスター２６をさらに有する。具体的には、アジャスター２６は第１帯片２１に位置しており、アジャスター２６によってストラップ本体２０の全長を装着者の身体に合わせて自由に変更することができる。図示していないが、必要に応じて、アジャスター２６は、第１帯片２１のみならず、第２帯片２２にも配置されていてもよい。
【００２２】
ストラップ本体２０（又は第１帯片２１）のうちのアジャスター２６と連結部２３の雌部材２３ａとの間には、マスク用のストラップ１０とネックストラップ４０とを連結するための連結手段(第１連結手段)１２が位置する。第１連結手段１２は、好ましくはストラップ本体２０と同材料から形成された帯状であって、ストラップ本体２０が挿通される環状の環状部１２Ａと、環状部１２Ａから延出する延出部１２Ｂとを有する。環状部１２Ａの外面には、スナップボタンの雌部材２７ｂが位置し、延出部１２Ｂの内面（環状部１２Ａと対向する面）には、雌部材２７ｂが篏合される雄部材２７ａが位置している。
【００２３】
連結手段１２がかかる構成を有することによって、ネックストラップ４０を環状部１２Ａの挿通部（第１挿通部）にストラップ本体２０とともに挿通することでストラップ本体２０とネックストラップ４０とを連結してもよいし、図４（ａ），（ｂ）において仮想線に示すように、ネックストラップ４０を環状部１２Ａと延出部１２Ｂとの間に介在させた状態で雌雄部材２７ａ，２７ｂを篏合することで形成されるループ（第２挿通部）にネックストラップ４０を挿通させた状態として、それらを互いに連結してもよい。
【００２４】
ネックストラップ４０は、ストラップ本体４１と、ストラップ本体４１に取り付けられた対象物４３を吊持するための吊持手段４２を有する。ネックストラップ４０のストラップ本体４１は、バックル４４を介して着脱可能に連結された２つの帯片から構成されている。
【００２５】
図示例では、吊持手段４２は、金属製又はプラスチック製のなす環であって、なす環にＩＤカード等を収納したホルダーの挿通孔を挿通することによって、ＩＤカード等を吊持させることができる。ストラップ本体４１は、マスク用のストラップ１０と同様に、ワンタッチバックルを介して着脱可能に連結された複数の帯片を有する。
【００２６】
ネックストラップ４０によって吊持される対象物４３には、ＩＤカードのほかに、パスカード、携帯電話、鍵、マスコット等の各種の小物類を含む。これらの対象物４３は、ホルダーなどの容器を介して間接的に吊持することのほかに、吊持手段に直接吊持してもよい。
【００２７】
ネックストラップ４０のストラップ本体４１の裏面には、スナップボタンの一対の雌部材（被係止部）４５が配置されている。かかる雌部材４５は、マスク用のストラップ１０のストラップ本体２０の係止手段２５である雄部材２５ａに篏合できるものである。すなわち、図４（ａ），（ｂ）に示すように、マスク用のストラップ１０の係止手段２５にマスク３０を係止していない状態において、ストラップ本体２０の一対の雄部材をストラップ本体４１の一対の雌部材に篏合することによって、マスク用のストラップ１０とネックストラップ４０とを互いに重なり合った状態で連結することができる。
【００２８】
図１及び図２を参照すると、マスク用のストラップ１０を装着者の首に掛けて、ストラップ本体２０の第１及び第２端に位置する係止手段２５を介してマスクの耳掛け部３２を係止することによって、マスク３０を吊持することができる。このように、マスク用のストラップ１０によってマスク３０を吊持することによって、マスク３０を着用していない状態であっても、マスク３０が邪魔になることはなく、マスク３０が不意に落下して紛失したり、汚れたりするおそれはない。
【００２９】
一方、スポーツ観戦やイベント会場等においては、セキュリティー上の問題からＩＤカード等の身分証の所持を義務付けられており、ＩＤカード等を吊持するためのネックストラップ４０を装着する必要がある。かかる場合において、マスク用のストラップ１０とネックストラップ４０とを別々に首から掛けた場合であって、マスク用のストラップ１０にマスク３０を係止していない状態では、それらが絡まってしまい、解すのに時間が掛ってしまい、素早くＩＤカードを提示することができなくなるおそれがある。
【００３０】
本実施形態においては、マスク用のストラップ１０とネックストラップ４０とを連結する連結手段が第１連結手段１２と第２連結手段１３とから構成されている。具体的には、第１連結手段１２は、第１帯片２１に位置する連結ベルトから構成されていて、第２連結手段１３は、係止手段２５の雄部材（係止部）２５ａとネックストラップ４０のストラップ本体４１に位置する雌部材（被係止部）４５とから構成されている。
【００３１】
このように、マスク用のストラップ１０は、第１及び第２連結手段１２，１３によって互いに着脱可能に連結されることから、ストラップ１０，４０同士が絡まってしまうことはなく、素早くＩＤカードを提示することができる。また、マスク３０を係止していない状態であってマスク用のストラップ１０がネックストラップ４０に連結されていない場合には、首周りにぶら下がっただけの状態となり、落下して紛失するおそれがあるが、ネックストラップ４０と連結することで、かかる紛失を回避することができる。
【００３２】
マスク用のストラップ１０の係止手段２５は、マスク３０の耳掛け部３２を係止するために使用されることのほかに、ネックストラップ４０との連結にも使用されることから、２つの機能的な役割を発揮するものであるといえる。したがって、これらの２つの機能を別々の係止手段によって達成する場合に比べて、製造コスト及び操作性に優れるといえる。
【００３３】
なお、マスク用のストラップ１０は、ネックストラップ４０と安定的に連結される限りにおいて、第１及び第２連結手段１２，１３のうちの少なくとも一方によって連結されていてもよい。また、係止手段２５として、スナップボタンのほかに、金属製又はプラスチック製のなす環を採用することもできる。かかる場合には、マスク用のストラップ１０は、第１連結手段１２を介してのみネックストラップ４０と連結される。
【００３４】
以下において、図５〜図１４を参照して、本発明の第２〜第８実施形態に係るマスク用のストラップ１０について説明する。各実施形態に係るマスク用のストラップ１０の基本構成は、第１実施形態のマスク用のストラップ１０の基本構成と同様であるから、主として相違する点について以下に説明する。なお、いずれの実施形態に係るマスク用のストラップ１０においても、ネックストラップ４０を連結させるための連結手段（第１連結手段）１２とマスク３０の耳掛け部３２を係止するための係止手段とを備える。
【００３５】
＜第２実施形態＞
図５は、第２実施形態に係るマスク用のストラップ１０の使用状態における背面図、図６（ａ）は、実施形態に係るマスク用のストラップ１０の平面図、図７（ａ）は、第２実施形態に係るマスク用のストラップ１０の図４（ａ）と同様の図、図７（ｂ）は、第２実施形態に係るマスク用のストラップ１０の図４（ｂ）と同様の図である。
【００３６】
本実施形態に係るマスク用のストラップ１０は、第１帯片２１と第２帯片２２とを着脱可能に連結するための固定手段５０を有する。固定手段５０は、第１帯片２１の表面側に位置するスナップボタンの雌部材５０ａと、第２帯片２２の裏面側に位置する、雌部材５０ａに篏合可能な雄部材５０ｂとを有する。
【００３７】
図７（ｂ）を参照すると、本実施形態においては、固定手段５０を介して第１帯片２１と第２帯片２２とを連結することによって、ループ部分５５が形成される。図５に示すように、マスク３０を装着した後に、装着者の首元の背面側においてストラップ本体２０を固定手段５０を介して固定することで、余剰部分がループ部分５５となり、マスク３０を後方へ引っ張って顔面にフィットさせることができる。また、かかる装着状態とすることで、例えば、装着者が子供である場合、マスク３０の耳掛け部３２が耳を強く引っ張ることはなく、長時間装着しても耳が痛くなるのを抑制することができる。
【００３８】
＜第３実施形態＞
図６（ｂ）は、第３実施形態に係るマスク用のストラップ１０の平面図、図８（ａ）は、第３実施形態に係るマスク用のストラップ１０の図４（ａ）と同様の図、図８（ｂ）は、第３実施形態に係るマスク用のストラップ１０の図４（ｂ）と同様の図である。
【００３９】
本実施形態に係るマスク用のストラップ１０は、第１帯片２１と第２帯片２２とを連結するための固定手段５０が、スナップボタンではなく、複数の篏合突起を有する第１係止部５６ａと複数の篏合凹部を有する複数の第２係止部５６ｂ，５６ｃとから構成されている。具体的には、第１係止部５６ａは第２帯片２２の裏面側において、ストラップ本体２０の長さ方向において並んで配置されている。
【００４０】
図８（ｂ）を参照すると、本実施形態においては、固定手段５０を介して第１帯片２１と第２帯片２２とを連結することによって、図５に示すように、装着状態において、装着者の首元の背面側に位置するループ部分５５が形成される。また、第２係止部５６ｂ，５６ｃが複数あることによって、ループ部分５５のサイズを適宜変更することができる。かかるサイズ調整が可能な限りにおいて、第２係止部５６ｂ，５６ｃは２つ以上あってもよい。
【００４１】
＜第４実施形態＞
図９は、第４実施形態に係るマスク用のストラップ１０の使用状態における背面斜視図、図１０（ａ）は、第４実施形態に係るマスク用のストラップ１０の図４（ａ）と同様の図、図１０（ｂ）は、第４実施形態に係るマスク用のストラップ１０の図４（ｂ）と同様の図である。
【００４２】
本実施形態に係るマスク用のストラップ１０は、一対のワンタッチバックルによって連結された、第１連結手段１２が位置する第１帯片６１と、第１帯片６１の両端に着脱可能に連結された第２及び第３帯片６２，６３とを有する。具体的には、第１帯片６１の一方端には雄部材６４ａ、他方端には雌部材６４ｂが位置し、雄部材６４ａが第３帯片６３の一方端に位置する雌部材６４ｃと連結され、雌部材６２ｂが第２帯片６２の一方端に位置する雄部材６４ｄに連結される。
【００４３】
第２及び第３帯片６２，６３の他方端（ストラップ本体の第１及び第２端）には、マスク３０の耳掛け部３２を係止するための複数の係止クリップ６６ａ，６６ｂが取り付けられている。係止クリップ６６ａ，６６ｂは、マスク用のストラップ１０の長さ方向に並ぶ第１及び第２係止クリップ６６ａ，６６ｂを有する。図９を参照すると、マスク３０の耳掛け部３２を第１係止クリップ６６ａに係止させることによって、マスク３０を後方に引っ張った状態で着用することができ、マスク本体３１の顔面へのフィット性が向上する。また、第１及び第２係止クリップ６６ａ，６６ｂが複数あることによって、装着者の顔面の大きさやフィット性に応じて耳掛け部３２の位置並びにそれによる後方への引張力を適宜調整することができる。
【００４４】
＜第５実施形態＞
図１１（ａ）は、第５実施形態に係るマスク用のストラップの図４（ａ）と同様の図、図１１（ｂ）は、第５実施形態に係るマスク用のストラップの図４（ｂ）と同様の図である。
【００４５】
本実施形態に係るマスク用のストラップ１０においては、第４実施形態と同様に、ストラップ本体２０が、一対のバックル６４ａ−６４ｄによって連結された第１、第２及び第３帯片６１−６３を有する。係止手段２５が第１実施形態と同様に、複数の雌部材２５ｂ，２５ｃを有するスナップボタンから形成されていて、その全長が第１実施形態よりも小さくなっている。従って、マスク３０の着用状態において、第４実施形態と同様に、マスク３０の耳掛け部３２を後方へ引っ張って、マスク本体３１を顔面にフィットさせることができる。
【００４６】
図１１（ａ）を参照すると、ストラップ本体２０の全長が比較的に小さいことから、第２連結手段１３を構成する、係止手段２５の雄部材２５ａとネックストラップ４０の雌部材４５との間に距離があるが、ネックストラップ４０を折り曲げるようにして手繰り寄せた状態で雄部材２５ａと雌部材４５とを篏合させることによって、マスク３０の未装着状態において、マスク用のストラップ１０とネックストラップ４０とを安定して連結することができる。
【００４７】
＜第６実施形態＞
図１２（ａ）は、第６実施形態に係るマスク用のストラップ１０の図４（ａ）と同様の図、図１２（ｂ）は、第６実施形態に係るマスク用ストラップ１０の参考背面斜視図である。
【００４８】
本実施形態に係るマスク用のストラップ１０においては、ストラップ本体２０がバックル７３によって連結された第１及び第２帯片７１，７２から構成されていて、第１及び第２帯片７１，７２の一方端には、フックを介して耳掛止部材７５が取り付けられている。耳掛止部材７５は、断面アーチ状であって、その長さ方向へ弧状に延びる溝７６を有し、溝７６にマスク３０の耳掛け部３２を係止できる構造を有する。
【００４９】
耳掛止部材７５が掛かる構造を有することによって、マスク３０の耳掛け部３２を溝７６に係止させた状態で装着者の両耳に耳掛止部材７５を掛止させることで、マスク３０が安定的に装着された状態となる。図示するように、耳掛止部材７５は、装着者の耳部全体覆うように当接されることから、安定的に装着されるものであって、好ましくは、その端部７５ａが耳垂（耳たぶ）を越えて前方へ延びている。かかる態様を有することによって、耳掛止部材７５によって耳部がホールドされた状態となり、より安定した装着状態を実現することができる。
【００５０】
＜第７実施形態＞
図１３（ａ）は、第７実施形態に係るマスク用のストラップ１０の図４（ａ）と同様の図、図１３（ｂ）は、第７実施形態に係るマスク用のストラップ１０の参考背面斜視図である。
【００５１】
本実施形態に係るマスク用のストラップ１０においては、ストラップ本体２０がバックル７３によって連結された第１及び第２帯片７１，７２から構成されていて、第１及び第２帯片７１，７２の一方端には、フック８１を介してクリップ８０が取り付けられている。クリップ８０にマスク３０の耳掛け部３２を係止することによって、マスク３０を後方へ引っ張って、マスク本体３１を顔面にフィットさせることができる。装着状態において、マスク３０の耳掛け部３２がクリップ８０内で摺動して装着位置がずれるのを抑制するために、クリップ８０の内面に、シリコンやゴム膜等を貼付してなる滑り止め加工を施していることが好ましい。
【００５２】
＜第８実施形態＞
図１４（ａ）は、第８実施形態に係るマスク用のストラップ１０の図４（ａ）と同様の図、図１４（ｂ）は、第８実施形態に係るマスク用のストラップ１０の参考背面斜視図、図１４（ｃ）は、第８実施形態に係るマスク用のストラップ１０を装着者の手首に巻き付けて所持した状態を示す図である。
【００５３】
本実施形態に係るマスク用のストラップ１０においては、ストラップ本体２０が一対の磁石からなる連結部９０の磁力によって連結された第１及び第２帯片９１，９２から構成されていて、第１及び第２帯片９１，９２の一方端には、マスク３０の耳掛け部３２を係止するための開閉フック９３が取り付けられている。開閉フック９３は、レバーによって開閉操作可能なものであって、耳掛け部３２を自由に着脱することができる。
【００５４】
また、ストラップ本体２０は、柔軟性に優れた材料であって、例えば、装飾性のある編み紐状に形成することで、アクセサリーの一部として利用することもできる。図１４（ｃ）に示すように、マスク３０の未装着状態において、装着者の手首に巻き付けておくことで、普段はブレスレットのようにアクセサリーとして利用することができる。
【００５５】
＜第９実施形態＞
図１５（ａ）は、第９実施形態に係る第１連結手段１２０の平面図、図１５（ｂ）は、第９実施形態に係るマスク用ストラップ１０の正面図、図１６（ａ）は、第９実施形態に係る第１連結手段１２０の連結状態を示す図、図１６（ｂ）は、第９実施形態に係る第１連結手段１２０の連結が解除された状態を示す図である。
【００５６】
本実施形態に係るマスク用ストラップ１０においては、第１連結手段（連結手段）１２０が帯状のストラップ本体２０に分離可能に取りけられた、ストラップ本体２０とは別体の帯状体から形成される。第１連結手段１２０は、第１面１２０ａとその反対側に位置する第２面１２０ｂと、その長さ方向において対向して位置する第１及び第２端部１２１，１２２とを有する。第１連結部材１２０の第２端部１２２の第１面１２０ａには、複数の雌部材（係止部）１２５ａが長さ方向へ間隔を空けて配置されている。一方、第１端部１２１の第２面１２０ｂには、雄部材１２５ａに係脱可能に係止される複数の雄部材（被係止部）１２５ｂが長さ方向へ間隔を空けて配置されている。
【００５７】
第１連結手段１２０は、プラスチック、革又は織紐等の各種公知の材料から形成された帯片状であって、長さ方向の寸法Ｗ１は、好ましくは１５０〜２００ｍｍ，幅方向の寸法Ｗ２は、好ましくは１０〜２０ｍｍである。
【００５８】
ストラップ本体２０は、連結部２３を介して着脱可能に連結された第１帯片２１、と、第２帯片２２とを有する。連結部２３は、ワンタッチバックルであって、第１帯片２１の一方端に位置する雌部材と、第２帯片２２の一方端に位置する雄部材とから構成されていて、雄部材の一対の掛止片を雌部材の一対の係止凹部に押し込むことによって着脱可能に係止される。
【００５９】
ストラップ本体２０の第１帯片２１には、長さ調整手段であるアジャスター２６が位置している。また、ストラップ本体２０の第１及び第２端１５，１６には、マスク３０の耳掛部を係止するためのフック部１３１，１３２が位置している。
【００６０】
図１６（ａ），（ｂ）を参照すると、ストラップ本体２０とネックストラップ４０とを介在させた状態で第２面１２０ｂが内面となるように第１連結手段１２０を環状に折り曲げて、雌部材１２５ａと雄部材１２５ｂとを互いに係合させることでループが形成され、ループ内に位置するストラップ本体２０とネックストラップ４０とを連結することができる。
【００６１】
本実施形態においては、第１連結手段１２０がストラップ本体２０とは別体であることから、第１連結手段１２０が使用劣化した場合には、第１連結手段１２０のみ交換可能である。また、第１連結手段１２０の取付位置は適宜変更することが可能であって、使用場面に応じて、ストラップ本体２０とネックストラップ４０とを様々な位置で互いに連結することができる。さらに、第１連結手段１２０は、複数の雌部材１２５ａと複数の雄部材１２５ｂとを有することから、ストラップ本体２０及びネックストラップ４０の大きさに応じて大小様々なループを形成することができる。
【００６２】
図１７は、第９実施形態に係るマスク３０の着用状態を示す背面図である。図１７を参照すると、第１連結手段１２０をマスク３０の耳掛け部３２どうしを連結するためのマスクバンドとして使用することができる。このように、ストラップ本体２０及びネックストラップ４０を使用しないときでも、第１連結手段１２０のみを単独でマスクバンドとして使用することで、マスク３０を着用者の顔面に安定してフィットさせることができる。特に、第１連結手段１２０は大小のループを形成するように連結状態における長さ寸法を適宜変更することができるので、着用者の頭の大きさに合わせて耳掛け部３２間の長さ及び締め付け力を調整することができる。
【００６３】
図１８（ａ）は、第９実施形態に係る第１連結手段１２０を介してストラップ本体２０を束ねた状態を示す図、図１８（ｂ）は、図１８（ａ）に示す状態において、第１連結手段１２０の係止手段を係止した状態を示す図である。図１８（ａ），（ｂ）を参照すると、第１連結手段１２０は、ストラップ本体２０を束ねた状態で保持するためのストラップバンドとしても使用することができる。
【００６４】
以上のように、第１連結手段１２０は、ストラップ本体２０に着脱可能に取り付けられた別体から形成されることで、ストラップ本体２０とネックストラップ４０とを互いに連結する機能のほかに、マスクバンド及びストラップバンド等として複数の機能を有するものとして使用することができる。
【００６５】
マスク用のストラップ１０を構成する部材には、特に明記されていない限りにおいて、本明細書に記載されている材料のほかに、この種の分野において通常用いられている公知の材料を制限なく用いることができる。また、第１〜第９の実施形態に係るマスク用のストラップ１０の特徴構成を適宜互いに組み合わせることができる。
【符号の説明】
【００６６】
１０    マスク用のストラップ
１２    第１連結手段
１２Ａ  環状部
１２Ｂ  延出部
１３    第２連結手段
２０    ストラップ本体
２１    第１帯片
２２    第２帯片
２５  係止手段
２５ａ  係止部（雄部材）
２５ｂ，２５ｃ  被係止部（雌部材）
３０    マスク
３２  耳掛け部
４５  被係止部（雌部材）
５０  固定手段
１２０  第１連結手段
【図１】
2022000548.tif 000003
【図２】
2022000548.tif 000004
【図３】
2022000548.tif 000005
【図４】
2022000548.tif 000006
【図５】
2022000548.tif 000007
【図６】
2022000548.tif 000008
【図７】
2022000548.tif 000009
【図８】
2022000548.tif 000010
【図９】
2022000548.tif 000011
【図１０】
2022000548.tif 000012
【図１１】
2022000548.tif 000013
【図１２】
2022000548.tif 000014
【図１３】
2022000548.tif 000015
【図１４】
2022000548.tif 000016
【図１５】
2022000548.tif 000017
【図１６】
2022000548.tif 000018
【図１７】
2022000548.tif 000019
【図１８】
2022000548.tif 000020